(57)【要約】  呼吸応答型吸入器であって、この吸入器は、ユーザへの薬剤の送出をトリガするためのトリガ機構を有し、このトリガ機構は、薬剤源であって、吸入器が使用のためにプライミングされるプライミング位置及び薬剤源が作動され１回分の用量の薬剤を分注する作動位置を有する薬剤源と、薬剤源のプライミング位置から作動位置への移動を選択的に可能にするためのトグル機構とを含み、トグル機構は、空気流路内に配置された、ベーン枢動軸の周りを枢動するベーンを含み、トリガ機構は、ユーザが吸入する際にベーンの移動によってトリガされ、トグル機構を、トグル機構との協働によって薬剤源がプライミング位置に維持されたプライミング状態と、トグル機構が薬剤源との協働から解除された作動状態との間で移動させる。
2019529013.tif 000002
【特許請求の範囲】
【請求項１】
呼吸応答型吸入器であって、
ユーザへの薬剤の送出をトリガするためのトリガ機構と、
前記トリガ機構を前記吸入器内に配置するためのトリガ機構シャーシと、
ユーザがこれを通じて吸入するための空気流路と、を有し、
前記トリガ機構は、
前記吸入器が使用のためにプライミングされるプライミング位置及び薬剤源が作動され１回分の用量の薬剤を分注する作動位置を有する薬剤源を含み、
前記トリガ機構は、
前記薬剤源のプライミング位置から作動位置への移動を選択的に可能にするためのトグル機構を更に備え、
前記トグル機構は、
前記空気流路内に配置され、ベーン枢動軸の周りを枢動するベーンを備え、
前記トリガ機構は、前記ユーザが吸入することに基づく前記ベーンの移動によってトリガされ、前記トグル機構を、前記トグル機構との協働によって前記薬剤源がプライミング位置に維持されたプライミング状態と、前記トグル機構が前記薬剤源との協働から解除された作動状態との間で移動させる、吸入器。
【請求項２】
前記トリガ機構は、前記薬剤源と係合するための作動アームを含み、
前記作動アームは、前記トグル機構がプライミング状態にあるプライミング位置と、前記トグル機構が作動状態にある作動位置とを有し、
前記プライミング状態では、前記作動アームは、前記トグル機構との係合によってプライミング位置に維持され、
前記作動状態では、前記トグル機構は、前記作動アームから係合解除されており、前記作動アームは作動位置に移動することが可能である、請求項１に記載の吸入器。
【請求項３】
前記トグル機構は、トグルリンク枢動軸において前記ベーンに枢動可能に取り付けられたトグルリンクを含む、請求項２に記載の吸入器。
【請求項４】
前記プライミング状態では、前記作動アームは前記トグルリンクとの係合によってプライミング位置に維持され、
前記作動状態では、前記トグルリンクが前記作動アームから係合解除されて前記作動アームは作動位置に移動することが可能である、請求項３に記載の吸入器。
【請求項５】
前記トグルリンク枢動軸は、前記機構をトリガするのに必要な吸入力を最小化するために、前記ベーン枢動軸の近位にある、請求項１〜４のいずれか一項に記載の吸入器。
【請求項６】
前記作動アームは、前記作動アームと前記トグルリンクの上端部との係合によってプライミング位置に維持され、前記上端部は、前記トグルリンク枢動軸の遠位にある、請求項５に記載の吸入器。
【請求項７】
前記作動アームは、前記トグルリンクの前記上端部が前記トグルリンクの前記上端部と前記作動アームとの間の係合位置から離れるように移動することによって、前記トグルリンクから係合解除され、前記作動アームは、作動位置へ移動することが可能になる、請求項６に記載の吸入器。
【請求項８】
前記作動アームは、前記トグルリンクの前記上端部が前記作動アームから離れるように移動することによって、前記トグルリンクから係合解除され、前記作動アームは、作動位置へ移動することが可能になる、請求項７に記載の吸入器。
【請求項９】
前記トグルリンクの前記上端部はスタブアクスルを画定し、前記トリガ機構シャーシはトグルアクスルトラックを画定し、前記スタブアクスルは、前記トグル機構がプライミング状態と作動状態との間を移動するときに前記トグルアクスルトラックに沿って移動可能である、請求項８に記載の吸入器。
【請求項１０】
前記アクスルトラックは、主トラック及び従トラックを画定し、前記スタブアクスルは、前記トグル機構がプライミング状態にあるときに前記主トラック内に位置しており、前記トグル機構が作動状態にあるときに前記従トラック内に位置している、請求項９に記載の吸入器。
【請求項１１】
前記主トラック及び前記従トラックは、前記スタブアクスルが前記主トラックから前記従トラックへ移行するときに前記トグルリンクが前記作動アームから係合解除されるように構成されている、請求項１０に記載の吸入器。
【請求項１２】
前記作動アームは、作動アーム枢動軸の周りを回転するように前記吸入器に取り付けられている、請求項１〜１１のいずれか一項に記載の吸入器。
【請求項１３】
前記作動アームは、前記トグルリンクと選択的に係合するための追従ボスを画定している、請求項１２に記載の吸入器。
【請求項１４】
前記追従ボスは、前記薬剤の送出の間、前記トリガ機構を作動位置に維持する、請求項１３に記載の吸入器。
【請求項１５】
前記作動アームは、前記トリガ機構が作動状態に移動するときに前記作動アームが前記トグルリンクから係合解除されるように、前記作動アーム枢動軸の周りを回転する、請求項１２に記載の吸入器。
【請求項１６】
前記作動アームは、前記トリガ機構がプライミング状態にあるとき、前記トグルリンク枢動軸との係合によって回転が防止されている、請求項１５に記載の吸入器。
【請求項１７】
前記吸入器は加圧定量吸入器であり、前記薬剤源はキャニスタである、請求項１〜１６のいずれか一項に記載の吸入器。
【発明の詳細な説明】
【技術分野】
【０００１】
（関連出願の相互参照）
本出願は、２０１６年９月７日に出願された英国特許出願第１６１５１８２．１号の利益を主張するものであり、その開示の全容が参照により本明細書に組み込まれる。
【０００２】
本出願は、吸入器、特に医療用吸入器のための用量放出噴射システムで使用するための呼吸作動式トリガ機構に関する。本出願はまた、吸入器及び、特に、薬剤キャニスタを含む医療用吸入器に関する。
【背景技術】
【０００３】
呼吸器及び他の疾患の治療のための気道へのエアロゾル化された薬剤の送出は、加圧噴霧式定量吸入器（ｐＭＤＩ）、ドライパウダー吸入器（ＤＰＩ）、及びネブライザを使用して行われてきた。ｐＭＤＩ吸入器は、喘息又は慢性閉塞性肺疾患（ＣＯＰＤ）のいずれかを患っている多くの患者にはよく知られている。従来のｐＭＤＩデバイスは、メータリングバルブで密閉され医薬製剤を収容するアルミニウム製キャニスタを備える。一般に、医薬製剤は、加圧され、液状ハイドロフルオロアルカン（hydrofluoroalkane、ＨＦＡ）推進剤中に懸濁させた１種以上の医薬品化合物の微細粒子、又は推進剤／共溶媒系に溶解させた１種以上の医薬品化合物の溶液のいずれかを含む。溶液及び懸濁液形態の両方で薬物を含有する製剤もまた、知られている。
【０００４】
ドライパウダー吸入器は、患者が直接吸入するための、適切な担体粉末と通常混合された１回分の用量の粉末薬剤を放出するために患者の吸入する息のエネルギーを利用するため、「呼吸作動式」と呼ばれることがある。しかし、いくつかのＤＰＩｓは、患者の吸入による機構の起動の際に、粉末に別のエネルギー源を放出することによって、用量を能動的に分注するように設計されている。
【０００５】
従来の経肺用ｐＭＤＩでは、密閉キャニスタはアクチュエータ内にある状態で患者に提供される。アクチュエータは、従来、キャニスタを囲む略円筒状の垂直チューブに加えて、吸気（又は吸入）オリフィスを画定する患者部（例えば、マウスピース又はノーズピース）を形成する略水平管を備える略Ｌ字形のプラスチック成型品である。このような吸入器を使用するために、患者は、息を吐き出し、患者ポートを体腔（例えば、口又は鼻）内に配置してから吸入し、吸気オリフィスを通して空気を吸い込む。このような吸入器の多くは経肺用の「プレスアンドブリーズ」型のものであり、患者は、メータリングバルブを動作させて定量の薬剤をキャニスタから吸入空気流中へ、そしてマウスピースを通じて自身の肺へと放出するために、キャニスタの突出端部を押さなければならない。出てくるエアロゾル化された薬剤の雲霧が、最大の治療的利点をもたらすために、肺まで十分に深く届くべき場合、これには吸入と用量放出とのタイミングの協調を必要となることがある。患者が吸息流ができ上がる前に用量を放出した場合、薬剤の一部はマウスピース又は患者の口腔内で失われることがある。逆に、吸入の開始のかなり後で放出された場合、肺の深部領域には既に空気が充満している可能性があり、次に続く放出薬剤エアロゾルのボーラスが達しない可能性がある。
【０００６】
出てくる薬剤エアロゾルのプルームの速度を低下させるために、かつ薬剤エアロゾルが膨張することができ、その推進剤がより完全に蒸発できる容積を提供するために、ｐＭＤＩのマウスピース上に装着するスペーサデバイスがこれまでに考案されている。このスペーサデバイスは、協調の課題のいくつかを回避するとともに、過度に速い薬剤粒子の吸入に起因する高度の咽頭沈着の傾向を回避する役割を果たす。しかしながら、スペーサデバイスは嵩張ることが多く、過度の割合の薬剤をその壁に保持し得ることで、患者に届く用量が減少する。スペーサデバイスは、また、静電荷に非常に敏感な場合があり、多くの場合、スペーサデバイスが洗浄又は乾燥される手法に強く影響される可能性がある。
【０００７】
一部の患者にとって大きな問題となり得ることを克服するために、自動呼吸作動式トリガを用い、患者の吸い込む息のみに応じて用量を放出する一部のｐＭＤＩデバイス設計が創出されている。３Ｍ  Ｃｏｍｐａｎｙ、Ｓｔ．Ｐａｕｌ、ＭＮ（ＵＳＡ）から入手可能なＡＵＴＯＨＡＬＥＲ（商標）定量噴霧式吸入器、及びＴｅｖａ  Ｐｈａｒｍａｃｅｕｔｉｃａｌ  ＩｎｄｕｓｔｒｉｅｓＬｔｄ．（Ｉｓｒａｅｌ）から入手可能なＥＡＳＩＢＲＥＡＴＨＥ（商標）吸入器は、呼吸作動を用い、用量放出を吸入とより適切に協調させようと試みるこうしたｐＭＤＩデバイスのうちの２つである。多くの他の吸入器の呼吸作動式機構が提案されてきたが、１種以上の弱点又は不都合な点を有する傾向があり、例えば、部品点数の多さ（ゆえに製造コストが高い）、複雑さ（組み立ての困難さ及び／又は複雑な寸法公差の累積などを生じる得る）、性能の問題（静止時及び／又は吸入前に安定性に対する感度（軽いトリガ力）のバランスを保つのが困難）、及び／又は大きすぎるサイズ、及び／又はあまり親しみのない又はより扱いにくい吸入器の全体形状などがある。
【０００８】
ジェネリック医薬品又はアジアなどの価格重視市場を検討する場合、コストの問題は特に懸念事項である。本発明の各実施形態は、価格重視市場においても高い魅力をもつように十分に低い製造コストで呼吸作動を提供しようとするものである。
【０００９】
呼吸作動式吸入器は吸入と薬剤用量放出との間の協調の実現を有効に補助するものではあり得るが、既存のデバイスの一部では、安定的であるとともになお高感度であるために、通常、公差を厳しくする必要がある機械式呼吸作動システムを用いている。蓄積エネルギー機械式呼吸作動システムの本質は、典型的には、数十ニュートンの大きな荷重（例えば、圧縮ばねに保持される）をラッチング機構によって抑制する（即ち、放出されないようにする）必要があるが、このラッチング機構を患者の呼吸の力（例えば、１ニュートン、適度な大きさのベーンによる）のみを用いて解除しなければならないというようなものとし得る。これには、小さな力ではるかに大きな力を放出できる大きな「機械的利益」が必要であり得る。例えば、ｐＭＤＩのメータリングバルブは、その噴射のために４０Ｎ超を必要とし得る。これは、これらメータリングバルブを駆動するための圧縮ばねが、バルブを約２〜３ｍｍほど動作した後でも、その力を超える力を与える必要があることを意味する。即ち、圧縮ばねは、噴射機構がプライミングされた状態にある（又は「準備が整った状態にある」）その圧縮された状態から２〜３ｍｍだけ既に荷重解放された時点においても、４０Ｎ超を与える必要がある。こうした程度の「機械的利益」をもたらす既存の機械式のシステムは、複雑でありかつ精巧に調整されるものであり得、慎重に制御された寸法を有する必要があり得る。
【発明の概要】
【００１０】
本開示は、呼吸応答型吸入器について記載しており、この吸入器は、ユーザへの薬剤の送出をトリガするためのトリガ機構と、トリガ機構を吸入器内に配置するためのトリガ機構シャーシと、ユーザがこれを通じて吸入するための空気流路とを有し、トリガ機構は、吸入器が使用のためにプライミングされるプライミング位置及び薬剤源が作動され１回分の用量の薬剤を分注する作動位置を有する薬剤源を含み、トリガ機構は、薬剤源のプライミング位置から作動位置への移動を選択的に可能にするためのトグル機構を更に備え、トグル機構は、空気流路内に配置され、ベーン枢動軸の周りを枢動するベーンを備え、トリガ機構は、ユーザが吸入することに基づくベーンの移動によってトリガされ、トグル機構を、当該トグル機構との協働によって薬剤源がプライミング位置に維持されたプライミング状態と、トグル機構が薬剤源との協働から解除された作動状態との間で移動させる。
【００１１】
有利には、トリガ機構は、薬剤源とベーンとの間の荷重経路の機械的係合を解除する。これは、２つの主要な利点を有する。第１に、この機構は、トリガする時点で克服しなければならない摩擦力を発生しないので、この機構の係合を解除すると、吸入器をトリガするのに必要な荷重が減少する。これにより、今度は、トリガ機構の一貫性が向上し、吸入器の誤噴射の恐れが減少する。第２に、薬剤源がトリガする時点を、この機構がトリガする時点に正確に一致させる必要がない。トグル機構からの薬剤源の係合を解除することにより、係合解除の瞬間に続く任意の時点で薬剤源を噴射することが可能になる。これは、製造公差に対するトリガ機構の感受性を著しく低下させるので、製造上の大きな利点をもたらす。この特徴は、トリガ機構の一貫性を先行技術のデバイスに比べて更に向上させるという付加的な利点を有する。このように、トリガ機構は、呼吸作動式デバイスに要求される感受性及び安定性を同時に達成することができる。
【００１２】
好ましくは、トリガ機構は、薬剤源と係合するための作動アームを含み、作動アームは、トグル機構がプライミング状態にあるプライミング位置と、トグル機構が作動状態にある作動位置とを有し、プライミング状態では、作動アームはトグル機構との係合によってプライミング位置に維持され、作動状態では、トグル機構は作動アームから係合解除されており、作動アームは作動位置に移動することが可能になる。
【００１３】
有利には、トリガ機構は、トグル機構が作動アームから係合解除されることによって、ある程度の「フォロースルー（follow-through（振り切り）」移動を可能にする。これは、トグル機構の不十分な移動が原因で、吸入器の噴射又はその定量全体の送出が妨げられる状況（後者の現象は「ショットクリッピング」と呼ばれる）を防止する。
【００１４】
好ましくは、トグル機構は、トグルリンク枢動軸においてベーンに枢動可能に取り付けられたトグルリンクを含む。
【００１５】
好ましくは、プライミング状態では、作動アームは、トグルリンクとの係合によってプライミング位置に維持され、作動状態では、トグルリンクが作動アームから係合解除されており、作動アームは作動位置に移動することが可能である。
【００１６】
好ましくは、トグルリンク枢動軸は、本機構をトリガするのに必要な吸入力を最小化するために、ベーン枢動軸の近位にある。
【００１７】
有利には、この特徴は、ベーンを変位させ、それによってトグルリンクを移動させて吸入器をトリガするのに必要な吸入力を最小化するという機械的利点を本機構に提供する。
【００１８】
好ましくは、作動アームは、作動アームとトグルリンクの上端部との係合によってプライミング位置に維持され、上端部はトグルリンク枢動軸の遠位にある。
【００１９】
有利には、この特徴は、ベーンを変位させ、それによってトグルリンクを移動させて吸入器をトリガするのに必要な吸入力を最小化するという更なる機械的利点を本機構に与える。
【００２０】
好ましくは、作動アームは、トグルリンクの上端部がトグルリンクと作動アームとの間の係合位置から離れるように移動することによって、トグルリンクから係合解除され、作動アームは、作動位置へ移動することが可能になる。
【００２１】
より好ましくは、この係合解除は、トグルリンクが作動アームから離れる移動を含む。
【００２２】
好ましくは、作動アームは、トグルリンクの上端部が作動アームから離れるように移動することによって、トグルリンクから係合解除され、作動アームは、作動位置へ移動することが可能になる。
【００２３】
好ましくは、トグルリンクの上端部はスタブアクスルを画定し、トリガ機構シャーシはトグルアクスルトラックを画定し、スタブアクスルは、トグル機構がプライミング状態と作動状態との間を移動するときにトグルアクスルトラックに沿って移動可能である。
【００２４】
好ましくは、アクスルトラックは、従トラックを画定し、スタブアクスルは、トグル機構が作動状態にあるときに従トラック内に位置している。
【００２５】
好ましくは、トグルアクスルトラック及び従トラックは、スタブアクスルがトグルアクスルトラックから従トラックへ移行するときにトグルリンクが作動アームから係合解除されるように構成されている。
【００２６】
好ましくは、作動アームは、作動アーム枢動軸の周りを回転するように吸入器に取り付けられている。
【００２７】
好ましくは、作動アームは、トグルリンクと選択的に係合するための従ボスを画定している。
【００２８】
好ましくは、従ボスは、薬剤の送出の間、トリガ機構を作動位置に維持する。
【００２９】
好ましくは、作動アーム枢動軸は、トリガ機構が作動状態に移動するときに作動アームがトグルリンクから係合解除されるようになっている。
【００３０】
好ましくは、トリガ機構がプライミング状態にあるとき、作動アームはトグルリンク枢動軸との係合によって回転が防止されている。
【００３１】
本開示の他の特徴及び態様は、発明を実施するための形態及び添付図面を考慮することによって、明らかになるであろう。
【図面の簡単な説明】
【００３２】
【図１】先行技術の従来の加圧噴霧式定量吸入器（ｐＭＤＩ）の側断面図である。
【図２】本開示の呼吸作動式トリガ機構の第１の実施形態の構成要素の分解図である。
【図３】図２のトリガ機構シャーシの正面等角図である。
【図４】図２のトリガ機構シャーシの背面等角図である。
【図５】図２のトリガ機構シャーシの部分断面側面図である。
【図６】図２の下側本体構成要素の正面等角図である。
【図７】図２の下側本体構成要素の正面部分断面図である。
【図８】図２の下側本体構成要素の側断面図である。
【図９】図２のベーンの背面等角図である。
【図１０】図２のトグルリンクの背面等角図である。
【図１１】図２の作動アームの上面等角図である。
【図１２】図２のフェイシャ（fascia）構成要素の正面等角図である。
【図１３】図２のボタン構成要素の上面等角図である。
【図１４】静止位置で示された、図２の実施形態の各構成要素から組み立てられた呼吸作動式トリガ機構の部分断面側面図である。
【図１５】静止位置で示された、本開示の呼吸作動式トリガ機構の代替的実施形態の一部の部分概略図である。
【図１６】本開示の呼吸作動式トリガ機構の更なる実施形態の一部の部分概略図である。
【図１７】図２の流れ調整器（flow governor）支持構成要素の正面等角図である。
【図１８】作動位置で示された、流れ調整器（flow governor）管構成要素を追加した図１４の呼吸作動式トリガ機構の部分断面側面図である。
【図１９】静止位置で示された、ハウジングに嵌め込まれた図１４の呼吸作動式トリガ機構の部分断面側面図である。
【図２０】噴射途中位置で示された、図１９の呼吸作動式トリガ機構の部分断面側面図である。
【図２１】噴射位置で示された、流れ調整器管構成要素を追加した図１９の呼吸作動式トリガ機構の部分断面側面図である。
【図２２】静止位置で示された、本開示の呼吸作動式トリガ機構の更に別の実施形態の一部の部分断面概略図である。
【図２３】噴射位置で示された、図２２の呼吸作動式トリガ機構の部分断面概略図である。
【図２４】従位置で示された、図２２の呼吸作動式トリガ機構の部分断面概略図である。
【図２５】静止位置で示された、投与量カウンタ機構を追加した図１９の呼吸作動式トリガ機構の部分断面側面図である。
【発明を実施するための形態】
【００３３】
各実施形態を（図２〜図２５を参照して）説明する前に、従来のｐＭＤＩデバイスの実施形態を、図１を参照して説明する。
【００３４】
図１は、医薬製剤５２を収容したキャニスタ５１を含む従来の加圧噴霧式定量吸入器（ｐＭＤＩ）５０を示す。キャニスタは、メータリングバルブ５４によってクリンプ４６で密閉された缶５３を含む。キャニスタ５１はハウジング（又は「アクチュエータ」）５５内に位置している。ハウジング（又は「アクチュエータ」）５５は、キャニスタ５１を受け入れるような寸法にされた開端部４７を有し、開端部４７からキャニスタ５１の基部４９が突出することができる管状スリーブ部５６と、吸気オリフィス（又は空気出口）４５を画定する患者ポート５７の形態の（例えば、マウスピースの形態の）一部分と、を備える。吸入器のこのような患者ポートは、本明細書中では簡略化のため「マウスピース」と呼ばれる場合がある。しかしながら、こうしたマウスピースは、その代わり、鼻吸入器のノーズピースであるように構成することができ、本開示は、本明細書中に特に言及されていない場合であっても鼻吸入器に等しく適用できることは理解すべきである。ハウジング５５の開放上端部４７は吸引オリフィス又は空気入口を画定することができ、空気出口４５は吸入オリフィス又は空気出口を画定することができる。
【００３５】
ステム部５８はメータリングバルブ５４から突出しており、ハウジング５５の一体部品として形成されたステムソケット５９内に配置され、摩擦によって保持されている。ステムソケット５９内に噴霧オリフィス６０が形成され、ステム部５８と空気出口４５との間に流体連通のための通路を設ける。使用時、患者は患者ポート（例えば、マウスピース）５７を体腔（例えば、口）に入れ、その後、キャニスタ５１の基部４９を下方に押すと同時に患者ポートを通じて吸入する。押す力が、キャニスタ５１をステム部５８に対して下方に動かす役割を果たす。この相対運動は、キャニスタ５１内のバルク製剤から定量の医薬製剤を分離し、その後、ステム部５８内に形成された中空ボア４８を通じて定量の医薬製剤を排出する役割を果たす。排出された用量は、その後、ステムソケット５９内の流体通路に沿って通過し、微細な呼吸用スプレー６１の形態で噴霧オリフィスを経由して出て、患者ポート５７を通過して患者の体腔（例えば、口腔及び／又は鼻腔）に入り、そこから患者の気道に入り、それによって患者の疾患を治療する。
【００３６】
こうした従来のｐＭＤＩデバイス５０の、その効能を制限する可能性を有するある重要な側面は、特に、吸入開始のタイミングとキャニスタ５１が下方に押される瞬間とを患者が適切に協調させる必要があることである。患者によって直接、しばしば親指又は人差し指によって、又は薬剤源に当たるばねの圧縮若しくは張力によって、又は他の何らかのエネルギー源によって、荷重が薬剤源に加えられる。協調が難題である患者の割合は高く、薬剤投与の効能は、不十分であり、かつ多くの場合、大きくばらつくことになる。
【００３７】
図１４、図１５及び図１８〜図２５に示すように、本開示の各実施形態は、トグル機構を組み込んだ呼吸作動式トリガ機構を備える。
【００３８】
図２は、本開示の呼吸作動式トリガシステム１００の第１の実施形態の各構成要素（図１４に組み立てられた状態で示される）を示し、これらの構成要素は、下側本体構成要素１６５、トリガ機構シャーシ１０１、ベーン１１０の形態の呼吸応答部材、トグルリンク１２０、作動アーム１３０、ベーンスプリング１１５、フェイシャ構成要素１７５、流れ調整器支持構成要素１８６、及びボタン構成要素１４０を含む。これは、トグル機構１１９（図１４に示す）の構成要素１１８を含む。
【００３９】
図３〜図５は、図２に示すトリガ機構シャーシ１０１を示す。トリガ機構シャーシ１０１は、空気流出口１４５を画定するマウスピース１５７の形態の中空管と、掃引弧１０４を提供する壁と、従トラック１０６及び主トラック１０６ａを画定するトグルアクスルトラック１０５と、アクスル位置特徴部１０３と、入口開口部１９３を有する流れ調整器通路１９０とを含む。トリガ機構シャーシ１０１はまた、スプリングの端部を保持するためのシース１０９を提供し、２つの管状位置特徴部１０２を含む。トリガ機構シャーシ１０１は、好ましくは、可塑性材料から射出成形される。
【００４０】
図６〜図８は、噴霧オリフィス１６０を提供するステムソケット１５９を含む、図２に示した下側本体構成要素１６５を示す。下側本体構成要素１６５はまた、呼吸作動式トリガ機構の他の構成要素を支持するシャーシを提供する。これは作動アーム枢動軸を受け入れるためのベアリング１６７を含む。下側本体構成要素１６５は、好ましくは、可塑性材料から射出成形される。
【００４１】
図９は、図２に示すベーン１１０を示す。ベーン１１０は湾曲したベーン壁を有し、このベーン壁は、一端部にスタブアクスル１１１の形態のベーン枢動軸と、ベーン壁の端部からスタブアクスル１１１と共にベーン壁に沿っていくらか形成されたトグルリンク枢動軸位置特徴部１１２とを有する。ベーン１１０はまた、ボス１１３を含む。ベーン１１０は、好ましくは、可塑性材料から射出成形される。
【００４２】
図１０は、図２に示すトグルリンク１２０を示す。トグルリンク１２０は、略矩形状のフレームであり、上側が上部バー１２５で連結され、下側が下部バー１２３で連結された２つの側壁を含む。上部バー１２５は前方に湾曲し、各端部で矩形状フレームを越えて外側に延びており、その外側延長部はボス１２４をもつスタブアクスル１２２の形態である。下部バー１２３は下方に湾曲し、各端部で矩形状フレームを越えて外側に延びており、その外側延長部はスタブ枢動軸１２１の形態のトグル枢動軸である。トグルリンク１２０は、好ましくは、可塑性材料から射出成形される。
【００４３】
図１１は、図２に示す作動アーム１３０を示す。作動アーム１３０は環状であり、一方の側に２つのスタブ枢動軸１３３と、それらの反対側に２つの追従ボス１３４とを支持する。各ボス１３４の隣には一体型スプリングアーム１３２がある。環状リングの内側縁部には、スタブ枢動軸１３３とボス１３４との間の途中に２つの棚部１３１がある。作動アーム１３０は、好ましくは、可塑性材料から射出成形される。スプリングアーム１３２に適切な特性を付与するために、可塑性材料は、好ましくは、アセタール材料である。
【００４４】
図１２は、図２に示すフェイシャ構成要素１７５を示す。フェイシャ構成要素１７５は、マウスピース１５７を覆うための開口部１７６を含む概ね平坦なプレートを含む。フェイシャ１７５は、その下端部において、トリガ機構シャーシ１０１の管状位置特徴部１０２と係合することができる２つの位置特徴部１７７を含む。フェイシャ１７５はまた、グリル１９４を形成する。フェイシャ構成要素１７５は、好ましくは、可塑性材料から射出成形される。
【００４５】
図１３は、図２に示すボタン構成要素１４０を示す。ボタン構成要素１４０は、一端部に突出ボタン１４３と、他端部に２つの接触特徴部１４１とを含む。ボタン構成要素１４０はまた、２つの一体型リターンスプリングアーム１４２を含む。ボタン構成要素１４０は、好ましくは、可塑性材料から射出成形される。スプリングアーム１４２に適切な特性を付与するために、可塑性材料は、好ましくは、アセタール材料である。図１３のボタン構成要素は、患者が吸入器をプレスアンドブリーズモードで使用することを可能にするオーバーライド特徴部として機能し、必要に応じて、バルブをプライミングするために使用することができる。ボタン構成要素が存在する実施形態では、オーバーライドによって、患者は、ボタン構成要素を使用してトグル機構１１９の裏側（例えば、ベーンの裏側）に当たるように前方に押圧し、ベーンをそのトリガ点を過ぎた角度まで移動させることが可能になる。その後、バルブが作動されると、トグル機構１１９はすでにロック解除位置にあるが、（ベーンがマウスピースの床に当たった状態で）依然として作動位置内へ強制されることになる。換言すれば、オーバーライドボタンが押された状態では、本デバイスは、従来のプレスアンドブリーズ吸入器と同様に作用することになる。
【００４６】
図１４は、静止位置で示された、図２に示す各構成要素から組み立てられた呼吸作動式トリガ機構を示す。トリガ機構シャーシ１０１は下側本体構成要素１６５に取り付けられており、フェイシャ１７５はトリガ機構シャーシ１０１を覆うように位置している。ベーン１１０は、スタブアクスル１１１がトリガ機構シャーシ１０１のアクスル位置特徴部１０３に係合し、かつベーンの湾曲した壁がトリガ機構シャーシ１０１の掃引弧１０４内にある状態で、トリガ機構シャーシ１０１内に取り付けられている。トグルリンク１２０もまた、図１４に示すように、トグルリンク１２０がその静止位置にあるときに、そのスタブアクスル１２２がトグルアクスルトラック１０５内にある状態で、トリガ機構シャーシ１０１内に取り付けられている。追って更に詳細に説明するように、ベーン１１０及びトグルリンク１２０が、トグル機構１１９を形成している。トグルリンク１２０の底部にあるスタブ枢動軸１２１は、ベーン１１０の裏側のトグルリンク枢動軸位置特徴部１１２と係合しており、この係合は回転可能ヒンジの形態である。ベーンスプリング１１５は、長手方向の撓み軸を有するコイルばねである。ベーンスプリング１１５は、ベーンスプリング１１５の一端部から他端部まで螺旋の中心に沿って延びる中心線を有する。その中心線（直線である必要はない）が長手方向軸線を画定し、それに沿ってスプリングが撓む。撓む間、その長手方向軸線の形状は、スプリングを荷重する又は荷重開放するのにつれて曲がる。したがって、スプリング１１５によって提供される主たる反力は、長手方向軸線の線に沿ったばねの圧縮又は伸長ではなく、長手方向の撓みに起因する。スプリング１１５は、第１の端部においてトリガ機構シャーシ１０１のシース１０９の内側に取り付けられ、第２の端部においてベーン１１０のボス１１３を覆うように取り付けられている。図１４の呼吸作動式トリガ機構が静止しているとき、スプリング１１５は、ボス１１３とシース１０９との間の意図的な位置ずれによって中央でわずかに上方に曲がっている。この曲がりは、機構が静止しているときに小さな残留ばね力をもたらし、この力は、静止時の（例えば、プライミング済みで、トリガする準備ができている）機構の安定性をわずかに高める。
【００４７】
図１４のトグル機構１１９は、オーバーセンタしないように設計され、代わりに、そのスタブアクスル１１１及びスタブ枢動軸１２１で発生する摩擦によって保持されるように設計されている。トグル機構１１９はまた、ベーン１１１及びトグルリンク１２０を整列した状態から外れるように引く方向にトグル機構１１９が動かされるまで、大きな荷重を引き止めるようにも設計されている。トグル機構１１９内の摩擦は、トグルによって引き止められている荷重が、ベーン１１０及びトグルリンク１２０に対して垂直に近い方向にかなり大きい合力で作用することができるとき、すなわち、それらのリンクのうちの１つが、その静止位置から所定の角度に達したときに、克服される。この角度は機構全体の摩擦量によって異なることになる。
【００４８】
本開示のいくつかの呼吸作動式トリガ機構において、スタブアクスル１１１の形態のベーン枢動軸は、トグルリンク１２０のスタブ枢動軸１２１の近くに配置されており、ベーン１１０は、マウスピースの基部に向かって下方に枢動する。これにより、本機構が作動位置になると作動アーム１３０がトグルリンク１２０を過ぎた状態を継続できるように、トグルリンク１２０を設計することが可能になる。このフォロースルーは、ｐＭＤＩバルブが確実に総移動長に到達することを可能にするために必要であり、ｐＭＤＩバルブ及びキャニスタの寸法のばらつきに対する本機構のロバスト性を大幅に改善する。このフォロースルーは、ベーン１１０が確実にマウスピースの基部に当たって保持されるようにするが、作動アームがその傍を通過し（すなわち、それにより「フォロースルー」が可能になる）薬剤を分注することを可能にする。
【００４９】
本開示のいくつかの実施形態では、ベーン１１０の静止位置は、空気流がトリガ機構を過ぎて漏れるのを防ぐのを促進するようにある角度に設定される。これはまた、トリガ機構がベーン１１０と衝突する危険性を回避し、したがって不必要な摩擦を加えることを回避する。ベーン１１０は、静止時には、吐き出された湿気及び細菌並びに呼気中の他の望ましくない物質に対する防壁を提供し、これは、患者が無分別に吸入器内へ息を吐き出した場合に、吸入器の主要部分を保護するのに都合が良い。
【００５０】
ベーン１１０は、その作動位置において、マウスピースの基部に当たるように位置している。いくつかの実施形態では、ベーンには、作動時には従来のマウスピースの床に当たって位置することを可能にするが、静止位置にある間は空気流に対する十分な抵抗を提供する特定の輪郭が付与された。
【００５１】
使用中、作動アーム１３０は、患者の力をｐＭＤＩバルブのフェルールからトリガ機構に伝達するために使用される。作動アーム１３０は、トグル機構１１９が作動するまでバルブが噴射するのを防止する。作動アーム１３０は、その長さに沿ってほぼ半分までフェルールと接触しており、その他端部でトグルリンク１２０と係合している。この構成は、トグル機構１１９に加えられる（患者からの）力の減少をもたらし、およそ２：１の追加の機械的利点を提供する。作動アームにはまたスプリングアームが取り付けられており、このスプリングアームは、アクチュエータに逆らって作用し、作動後に作動アーム１３０を元の状態に戻すのに十分な力を提供する。
【００５２】
ベーン１１０及びトグルリンク１２０は、噴射後にスプリング１１５によりそれらの静止位置に復帰する。
【００５３】
図１５は、スプリング１１５をより詳細に示す。（図１５は、呼吸作動式トリガ機構の図１４に示した実施形態とはわずかに異なる実施形態を示しており、スプリング１１５が、１つのボス部と１つのシースとの間ではなく２つのボス上に取り付けられている。）この構成の利点は、この構成がほとんど場所を取らず、ゆえに、スプリングがスプレープルームの経路内に直接存在しないことを確実にするのに役立つということである。
【００５４】
スプリングが確実に本機構を復帰させるようにするために、曲げ予荷重力が加えられる。予荷重により、構成要素の寸法公差が最悪の場合、又は摩耗又は薬品、埃、若しくは水分の存在によってデバイスの摩擦がわずかに増加する場合でも、本機構が確実にリセットされることになる。静止時のスプリング１１５の曲がり、したがってベーンをその直立した静止位置に向かって付勢するのに役立つその安定化予荷重は、図１５に観察することができる。この側面荷重構成において従来の圧縮コイルばねを使用する、あるいは、引張コイルばね（図示せず）を使用することにより、低い比較的一定の力がもたらされ、この力を使用して、機械的ｐＭＤＩ呼吸作動式トリガ機構をリセットすることができる。
【００５５】
他の適用例では、低い比較的一定の力をもたらすために使用されるばねは、典型的には、ばね鋼からなるコイル状ストリップである。こうしたばねの主な不都合な点は、それらが取り扱い及び組み立てが困難であること、並びにそれらが多くの空間を占め得るということである。本開示の各実施形態の側面荷重コイルばねの使用により、同様の力の特徴を有するものの組み立て及び空間への影響のないばねが提供される。低い一定した力のベーンリターンスプリングを使用することにより、本呼吸作動式トリガ機構を小さい力で作動させることができ、この機構を肺機能が制限された患者により適したものにする。より大きなベーン復帰力は、呼吸作動用量を放出するべく本機構をトリガするために患者に必要とされる吸入圧力を増加させるだろう。本スプリングは、本機構のリセットを保証するのに十分な力を提供する必要があるが、本機構の設計は、本機構構成要素の大部分を重力に抵抗して持ち上げさえすればよいようになされている。このため、ばね力は小さくてよいが、信頼性があることが必要である。圧縮ばね又は引張ばねの側面荷重（曲げ）は、比較的一定な力曲線をもたらし、このような構成を使用して、本開示のｐＭＤＩ呼吸作動式トリガ機構の好ましい実施形態を復帰する。
【００５６】
圧縮ばねを組み込んだ実施形態では、ばねが軸方向に荷重されないように注意する必要があるが、それは、これより、ベーンが閉じるのではなく開く傾向になるためである。ばねの長さは、本機構の全動作に渡って考慮されなければならない。曲がるにつれて長さが長くなるばねは、ベーンに不要な過度な荷重をかける可能性があり、これにより、トリガ力が増加する、かつ／又は吸入停止後のばねの復帰が妨げられることになる。
【００５７】
図１６は、スプリング１１５の周囲の更なる代替的構成を示しており、両端部はシュラウド（shroud）特徴部４０１、４１４内に配置されている。シュラウド特徴部は、好ましくは、シャーシ及びベーン上にそれぞれ成型される。この場合も、スプリング１１５は、好ましくは、シュラウド４０１、４１４をトリガ機構のプライミング位置に相対配置することによって、静止時にわずかに曲げられた構成に保持される。本開示の実施形態では、スプリング１１５の一端部はトリガ機構シャーシ１０１上のシース内に保持され、他端部は復帰する必要がある本機構の一部上に（例えば、ベーン１１０、又はトグルリンク１２０上に）配置されている。このような実施形態では、シース要素がスプリングの外径に荷重を加える。スプリングが塑性変形しないようにするためには、スプリングが、十分な不支持長さをシース同士の間で有していなければならない。所要の不支持長さは、スプリングが曲げられている角度に（例えば、ほぼ比例して）増加し、またスプリングの直径及び性質に依存する。
【００５８】
本開示の他の実施形態では、スプリング１１５は、両端部で本トリガ機構の構成要素に取り付けられることができ、例えば、一端部をトグルリンクに、他端部をベーンに取り付けることができる。ベーンを含む本トリガ機構の構成要素が相互接続されている場合、このように接続された構成要素をそれらのプライミング状態に復帰させることは、ベーンをそのプライミング状態に復帰させることになる。
【００５９】
図１４に示すように、作動アーム１３０は、下側本体構成要素１６５内に取り付けられ、作動アーム１３０のスタブ枢動軸１３３は、下側本体構成要素１６５のベアリング１６７に回転可能に取り付けられている。本機構が静止しているとき、作動アーム１３０の前面は、スプリングアーム１３２が下側本体構成要素の棚部に接触した状態で、トグルリンク１２０の上端部上に静止している。使用時には、キャニスタ５１（図１４には図示せず）が、そのステム部分５８の先端がステムソケット１５９と係合し、そのメータリングバルブ５４の下側が作動アーム１３０の２つの棚部１３１に接触した状態で、呼吸作動式トリガシステム１００内に配置される。静止時には、図１４に示すように、本機構１００は、トグルリンク機構が患者がキャニスタの基部１４９に加える荷重を支持した状態で、安定している。
【００６０】
図１７は、図２に示す流れ調整器支持構成要素１８６を示す。流れ調整器支持構成要素１８６は、折り畳み可能なシリコーン管流れ調整器構成要素（図示せず）を取り付けることができる楕円形の基部１９７を含む。このようなアセンブリは、既知の流れ調整器機構の基礎を形成することができ、これは、流れ調整器支持構成要素１８６上に形成された支持特徴部１９１によって提供される流れ調整器機構の内部支持構造体を有するものである。加えて、流れ調整器支持特徴部は、その背後では上方に延び、開口部１８７を有する壁になっている。図１４に示すように、流れ調整器支持構成要素１８６が下側本体構成要素１６５上に組み立てられるとき、この開口部１８７は、患者によるアクセスのためにボタン１４３が突出する場所を提供する。（図１４は、本機構に予め組み入れられたボタン構成要素１４０を示す。）
【００６１】
図１８は、図１４の呼吸作動式トリガシステム１００を示すが、マウスピース１５７を介した患者の吸入の後の作動位置で示された流れ調整器管構成要素１９２が追加されている。患者が吸入するにつれて、空気が空気流出口１４５を通って外向きに通過し、ベーン１１０の湾曲した壁を横切って圧力降下を引き起こす。この圧力降下により、図１８に示すように、ベーン１１０のスタブアクスル１１１がトリガ機構シャーシ１０１の位置特徴部１０３内で回転して、ベーン１１０が時計回りに回転する。ベーン１１０が回転するにつれて、ベーン１１０の裏側のトグルリンク枢動軸位置特徴部１１２は、マウスピース１５７の開放端に向かって変位する。この変位がトグルリンク１２０のスタブ枢動軸１２１を横に引っ張り、結果としてトグルリンク機構のラッチを解除し、ベーンスプリング１１５からの小さな復元力を克服する。例えば、患者が手動でキャニスタ基部４９に加えた下方圧力によって、予荷重が、基部４９に加えられ、そこからキャニスタ５１及びそのメータリングバルブ５４を通じて作動アーム１３０及びトグルリンク１２０にかかった状態では、トグルリンク１２０が概して下方に移動して、トグルリンク機構が崩れる。トグルリンク１２０の移動は、そのスタブ枢動軸１２１が、トグルリンク枢動軸位置特徴部１１２の回転変位によって回るように引っ張られることによって、かつそのスタブアクスル１２２がトグルアクスルトラック１０５をたどることによって、導かれる。加えられた（例えば、患者が加えた）荷重の下でキャニスタが下方に移動し続けるにつれて、今度は、作動アーム１３０が、トグルリンク１２０を、そのスタブアクスル１２２がトグルアクスルトラック１０５の主トラック１０６ａを出てその湾曲した下方部分、すなわち従トラック１０６内へ通過するまで、押し下げる。これら従トラック１０６の前方に湾曲した性質が、スタブアクスル１２２（そしてトグルリンク１２０の上端部）を作動アーム１３０の邪魔にならない前方へ移動させる。これにより、作動アーム１３０は、メータリングバルブ５４内へのバルブステム５８の総移動長までキャニスタ５１の移動を可能にするのに十分なほど下方に移動することができる。したがって、極端な部品寸法公差の場合であっても、ステム部５８を十分に移動させて、１回分の用量のエアロゾル化された薬剤製剤を放出することができる。換言すれば、呼吸作動式トリガ機構１００は、トリガ点の後のバルブ運動の「フォロースルー」を可能にする。２つの追従ボス１３４は、スタブアクスル１２２を阻んでトグルリンク１２０を下に保持し、それによって、棚部１３１から荷重が取り除かれる（例えば、患者によってキャニスタから荷重が解除されるとき）までトグルリンク１２０及びベーン１１０がベーンスプリング１１５によってリセットされるのを防止することに留意されたい。２つの追従ボス１３４はまた、トグルが作動アーム１３０の頂部を乗り越えられないようにして、トグルを確実に下方へ押し込むのにも役立つ。
【００６２】
図１９は、静止位置で示された、ハウジング１７０に嵌め込まれた図１４の呼吸作動式トリガ機構を示す。ハウジング１７０は、呼吸作動式トリガ機構が嵌め込まれる外殻を提供する。ハウジング１７０は、患者にとってより魅力的で人間工学的な形態を提供し、内部の本機構に対する保護を提供する。ハウジング１７０は、背面部に窓開口部１６６を有し、その下には別の開口部を有し、この別の開口部を通してボタン構成要素１４０上の突出ボタン１４３が突出可能である。このボタン１４３は手動オーバーライドとして機能し、何らかの理由で患者が呼吸作動式ではなく手動で用量を服用することを希望する場合、ボタン１４３を押すと、接触特徴部１４１がベーン１１０の背部を押し、呼吸作動したかのようにベーンを回転させ始める。例えば、患者によってキャニスタ５１の基部４９に手動で加えられたキャニスタ５１上の荷重は、トグルリンク機構を崩し、更に上述したように用量放出を可能にする。
【００６３】
図２０は、部分的噴射位置で示された、図１９の呼吸作動式トリガ機構を示す。この図からより明らかに分かるように、ベーン１１０の前方への回転により、ベーン１１０の下端部とベーン１１０自身の上端部との間の以前の安定した一直線の状態からトグルリンク１２０の下端部が引き出される。
【００６４】
図２１は、噴射位置で示された、流れ調整器管構成要素を追加した図１９の呼吸作動式トリガ機構の部分断面側面図である。換言すれば、これは図１８と非常に類似しているが、ハウジング１７０が追加されている。
【００６５】
図２２は、静止位置で示された、本開示の呼吸作動式トリガ機構の更に別の実施形態の一部の部分断面概略図である。この図は本機構のやや単純化された概略的な描写であるので、本開示のいくつかの実施形態のいくつかの態様をより明確に説明するのに役立つ。この図は、マウスピース２５７を含むトリガ機構シャーシ２０１の固定された位置特徴部２０３内に、スタブアクスル２１１によって、ベーンの湾曲した壁の端部がトリガ機構シャーシ２０１の弧面２０４を掃き出すことができるように回転可能に取り付けられたベーン２１０を示す。ベーン２１０はヒンジ位置特徴部２１２をもち、このヒンジ位置特徴部２１２は、トグルリンク２２０の底部スタブ枢動軸２２１と係合して回転ヒンジ点を形成している。トグルリンク２２０の反対側の上端部には、トリガ機構シャーシ２０１内に形成されたトラック内に延びている一対の上側スタブアクスル２２２がある。図２２に示すように、スタブアクスル２２２は、静止時には、トグルリンク２２０とほぼ平行に並んでいるトラック２０５の直線領域に位置している。しかしながら、このトラックは、トグルのヒンジに向って更に下になると、掃引弧２０４に向かって前方に湾曲し、「従」トラック２０６を形成している。トグルリンク２２０の頂部の上方には作動アーム２３０が位置しており、作動アーム２３０は、その遠位端にある枢動軸２３３において枢動される。作動アーム２３０は、前述の実施形態におけるスプリングアームとは異なる形態の一対のリターンスプリングアーム２３２と、一対の棚部２３１とを含み、一対の棚部２３１は、メータリングバルブ（図示せず）の下側を配置し、本機構が図２２に示す静止位置にあるときにそこにかかる任意の下向きの力に抵抗するためのものである。
【００６６】
静止時には、ベーンスプリング（図２２には図示せず）の存在によって図２２のトグルリンク機構配置の安定した性質はわずかにより安定するので、この実施形態の呼吸作動式トリガ機構全体は安定しているが高感度である。
【００６７】
図２３は、噴射位置で示された、図２２の呼吸作動式トリガ機構の部分断面概略図である。図２２と比較して分かるように、ベーン２１０は、患者の吸い込んだ息の影響下でマウスピース２５７の床に当たるように下方（図２２から図２３へ時計回り）に回転している。その回転の結果として、ヒンジ位置特徴部２１２が、底部スタブ枢動軸２２１をマウスピース２５７に向かってわずかに引っ張り、トグルリンク２２０の底端部をわずかに前方かつ下方に引っ張っている。その移動が、今度は、上側スタブアクスル２２２を、直線トグルトラック２０５を下って前方に湾曲したトラック２０６内に引っ張り、それによってトグルリンク２２０の頂部を作動アーム２３０の回転弧から引き出す。トグルリンク機構が棚部２３１を介して作動アーム２３０に加えられた荷重をもはや支持していない状態では、トグルリンク機構は下方に（図２３に示すように、時計回りに）自由に回転し、それによって、ｐＭＤＩキャニスタ（図示せず）が下方に移動して、１回分の用量の薬剤スプレーを放出することが可能になる。
【００６８】
本開示の本機構の重要な特徴は、作動アーム構成要素（例えば、１３０、２３０）が作動位置を通過して「追従する」ことができるという事実である。これにより、バルブは「総移動長」位置に到達することができ、バルブ噴出点及び公差のばらつきに対して低感度になることができる。各バルブが更に確実にその「総移動長」に達することができるように、ボス１３４、２３４が作動アーム１３０、２３０の自由端の上部に形成されている。
【００６９】
図２４は、追従位置で示された、図２２の呼吸作動式トリガ機構の部分断面概略図である。２つの追従ボス２３４が上側スタブアクスル２２２を阻み、それによって、リセットシーケンスが開始されるまで上側スタブアクスル２２２がトラック２０６、２０５を上って戻るように移動するのを防止することを明確に示すことができる。
【００７０】
この機構のリセットは次のようにして生じる。第１のステップは、荷重がｐＭＤＩキャニスタ５１の基部４９から取り除かれることであり、例えば、患者が完全に自動化された呼吸作動式吸入器内の噴射ばね（図示せず）から荷重解放すること、又は（例えば、本開示の実施形態では）患者がキャニスタ５１の基部４９を下方に押すのを止めることのいずれかによって、取り除かれる。ｐＭＤＩキャニスタから荷重を取り除くことにより、メータリングバルブ５４内のリターンスプリングがバルブをリセットすることが可能になり、スプリングアーム１３２が作動アーム１３０をその静止位置に復帰させることが可能になる。ボス１３４が作動アーム１３０と共に上方に戻るように移動するにつれて、ベーンスプリング１１５がトグルリンク１２０及びベーン１１０をリセットするので、上側スタブアクスル１２２はトラック１０６、１０５を上に戻ることができる。このようにして、トグルリンク機構がリセットされる。
【００７１】
当業者には、図２２〜図２４の実施形態と同様の実施形態を、トリガ機構を反対側が上になるように挿入して構築することが可能であることが理解されよう。換言すれば、ベーンのスタブアクスルがトラック内に位置する一方、スタブアクスルがアクスル位置特徴部に位置するということである。このような構造では、ベーンの枢動軸が円弧状に動くので、ベーンの移動はより複雑である。
【００７２】
本開示の呼吸応答型吸入器は、ドライパウダー吸入器、特に患者の吸入によるトリガ機構の起動の際に、エネルギー源を粉末に放出することによって用量が分注されるドライパウダー吸入器とすることができることが理解されよう。
【００７３】
本開示のトリガ機構のいくつかの好ましい実施形態の別の望ましい特徴は、参照によりその全体が本明細書に組み込まれる国際公開第２０１５／００６２９２号に開示されている機械的投与量カウンタなどの機械的投与量カウンタとの互換性があることである。図２５は、静止位置で示された、投与量カウンタ機構を追加した図１９の呼吸作動式トリガ機構の部分断面側面図である。投与量カウンタ機構は、３つの構成要素、すなわち、シャーシ構成要素１８０、単位コーン構成要素１８１、及び十の桁リング構成要素１８２を含む。この例示的な投与量カウンタ及びその動作の詳細な説明は、国際公開第２０１５／００６２９２号に提供されている。本開示のこの実施形態では、投与量カウンタは、ステムソケット１５９の周囲に配置されている（図２５では容易に識別できない）。投与量カウンタは、作動アーム１３０の棚部１３１の下側と、投与量カウンタシャーシ構成要素１８０の可動部分上の上向き突出特徴部１８３との接触によって操作される（図２５及び国際公開第２０１５／００６２９２号参照）。
【００７４】
好ましくは、本開示のトリガ機構は、低摩擦を有するように構成及び製造され、それによってトリガ機構のトリガ感度を改善する。
【００７５】
本発明はその適用が、上述の記載で説明した又は添付の図面に示される構造の詳細及び構成要素の配置構成に限定されるものではないと理解すべきである。本発明は、他の実施形態も可能であり、様々な方法で実践又は実行することが可能である。また、本明細書において使用される語法及び専門用語は説明のためのものであり、限定するものとみなしてはならないことを理解されたい。他の実施形態を利用することもでき、また、構造的又は論理的な変更が、本発明の範囲から逸脱することなくなされ得ることを更に理解されたい。
【００７６】
上記され、図に示された実施形態は、単に例として提示されており、本開示の概念及び原理を限定するものとしては意図されていない。したがって、当業者であれば、要素並びにそれらの構成及び配列の様々な変更が、本開示の趣旨及び範囲から逸脱することなく可能であることを認識するであろう。
【００７７】
本明細書において引用された全ての参考文献及び刊行物は、参照することによりそれらの全体が本開示に明示的に援用される。
【００７８】
本開示の様々な特徴及び局面は、以下の請求項において述べられる。
【図１】
2019529013.tif 000003
【図２】
2019529013.tif 000004
【図３】
2019529013.tif 000005
【図４】
2019529013.tif 000006
【図５】
2019529013.tif 000007
【図６】
2019529013.tif 000008
【図７】
2019529013.tif 000009
【図８】
2019529013.tif 000010
【図９】
2019529013.tif 000011
【図１０】
2019529013.tif 000012
【図１１】
2019529013.tif 000013
【図１２】
2019529013.tif 000014
【図１３】
2019529013.tif 000015
【図１４】
2019529013.tif 000016
【図１５】
2019529013.tif 000017
【図１６】
2019529013.tif 000018
【図１７】
2019529013.tif 000019
【図１８】
2019529013.tif 000020
【図１９】
2019529013.tif 000021
【図２０】
2019529013.tif 000022
【図２１】
2019529013.tif 000023
【図２２】
2019529013.tif 000024
【図２３】
2019529013.tif 000025
【図２４】
2019529013.tif 000026
【図２５】
2019529013.tif 000027
【国際調査報告】
2019529013.tif 000028
2019529013.tif 000029